(57)【要約】【課題】レコード会社が薦める発売前の楽曲をユーザに対して適切に試聴させること。すること。【解決手段】楽曲配信装置の記憶部が、発売前楽曲の音源データを含んだ発売前楽曲情報を当該発売前楽曲を試聴させたいユーザの属性情報と関連付けて記憶し、楽曲配信装置の楽曲選択部が、記憶部に記憶された発売前楽曲情報の中から携帯端末装置のユーザの属性情報と関連付けられた発売前楽曲情報を選択し、楽曲配信装置の楽曲配信部が、楽曲選択部によって選択された発売前楽曲情報を携帯端末装置へ配信する。また、本実施例では、携帯端末装置の記憶部が、楽曲配信部によって配信された発売前楽曲情報を記憶し、携帯端末装置の再生処理部が、記憶部に記憶された発売前楽曲情報に含まれる音源データの再生処理を実行するように楽曲配信システムを構成する。【選択図】        図６
2011209644.tif 000002
【特許請求の範囲】
【請求項１】
携帯端末装置と、前記携帯端末装置に対して楽曲を配信する楽曲配信装置とを含んだ楽曲配信システムであって、
前記楽曲配信装置は、
発売前楽曲の音源データを含んだ発売前楽曲情報を記憶する配信楽曲記憶手段と、
前記配信楽曲記憶手段に記憶された発売前楽曲情報の中から所定の発売前楽曲情報を選択する楽曲選択手段と、
前記楽曲選択手段によって選択された発売前楽曲情報を前記携帯端末装置へ配信する配信手段と
を備え、
前記携帯端末装置は、
前記配信手段によって配信された発売前楽曲情報を記憶する受信楽曲記憶手段と、
前記受信楽曲記憶手段に記憶された発売前楽曲情報に含まれる音源データの再生処理を実行する再生処理手段と
を備えたことを特徴とする楽曲配信システム。
【請求項２】
前記配信楽曲記憶手段は、
前記発売前楽曲情報を当該発売前楽曲を試聴させたいユーザの属性情報と関連付けて記憶し、
前記楽曲選択手段は、
前記配信楽曲記憶手段に記憶された発売前楽曲情報の中から前記携帯端末装置のユーザの属性情報と関連付けられた発売前楽曲情報を選択することを特徴とする請求項１に記載の楽曲配信システム。
【請求項３】
前記携帯端末装置は、
前記受信楽曲記憶手段に記憶された発売前楽曲情報に対する再生操作、リピート操作、先送り操作あるいは削除操作の何れか一つを少なくとも含んだ再生履歴情報を前記楽曲配信装置に対して送信する履歴情報送信手段
をさらに備え、
前記楽曲配信装置は、
前記携帯端末装置から取得した再生履歴情報を実績情報として前記発売前楽曲情報と関連付けて蓄積する実績情報蓄積手段
をさらに備えたことを特徴とする請求項１または２に記載の楽曲配信システム。
【請求項４】
前記携帯端末装置は、
楽曲再生機能を備えた車載装置との間で通信リンクを確立させる連携手段
をさらに備え、
前記再生処理手段は、
前記連携手段によって前記車載装置との通信リンクが確立された場合に、前記受信楽曲記憶手段に記憶された発売前楽曲情報を前記車載装置に対して再生させることを特徴とする請求項１、２または３に記載の楽曲配信システム。
【請求項５】
前記再生処理手段は、
前記連携手段によって前記車載装置との通信リンクが確立した場合には、前記受信楽曲記憶手段に記憶された発売前楽曲情報を前記車載装置に対して再生させ、前記車載装置との通信リンクが確立していない場合には、前記受信楽曲記憶手段に記憶された発売前楽曲情報を自装置で再生し、
前記履歴情報送信手段は、
前記車載装置との通信リンクの確立の有無に応じて前記発売前楽曲情報が前記車載装置または前記携帯端末装置のどちらの装置で再生されたかを特定するとともに、特定結果をさらに含んだ再生履歴情報を前記楽曲配信装置に対して送信することを特徴とする請求項３または４に記載の楽曲配信システム。
【請求項６】
前記実績情報蓄積手段は、
前記発売前楽曲情報と関連付けて蓄積した実績情報が所定の条件を満たした場合に、当該発売前楽曲情報と関連付けられた属性情報を変更することを特徴とする請求項３、４または５に記載の楽曲配信システム。
【請求項７】
自装置が搭載された車両へ乗車する乗車者の属性情報を取得するとともに、取得した属性情報を前記乗車者が所持する携帯端末装置へ送信する車載装置
をさらに備え、
前記楽曲配信装置の配信楽曲記憶手段は、
前記発売前楽曲を試聴させたいユーザの属性情報の組合せと関連付けて前記発売前楽曲情報を記憶し、
前記携帯端末装置は、
前記車載装置から複数の前記乗車者に対応する属性情報を取得した場合に、取得した属性情報の組合せを前記楽曲配信装置へ送信することによって前記発売前楽曲の配信を要求する配信要求手段
をさらに備え、
前記楽曲配信装置の楽曲選択手段は、
前記配信楽曲記憶手段に記憶された発売前楽曲情報の中から前記配信要求手段によって送信された属性情報の組合せと関連付けられた発売前楽曲情報を選択することを特徴とする請求項１〜６の何れか一つに記載の楽曲配信システム。
【請求項８】
前記携帯端末装置は、
前記ユーザが好む楽曲のジャンルまたは演奏者の何れか一つを少なくとも含んだ嗜好情報を記憶する嗜好情報記憶手段
をさらに備え、
前記発売前楽曲情報は、
前記発売前楽曲のジャンルまたは演奏者の何れか一つを少なくとも含み、
前記携帯端末装置の再生処理手段は、
前記受信楽曲記憶手段に記憶された発売前楽曲情報のうち前記嗜好情報記憶手段に記憶された嗜好情報との一致度が高い発売前楽曲情報から優先的に前記再生処理を行うことを特徴とする請求項１〜７の何れか一つに記載の楽曲配信システム。
【請求項９】
携帯端末装置に対して楽曲を配信する楽曲配信装置であって、
発売前楽曲の音源データを含んだ発売前楽曲情報を記憶する配信楽曲記憶手段と、
前記配信楽曲記憶手段に記憶された発売前楽曲情報の中から所定の発売前楽曲情報を選択する楽曲選択手段と、
前記楽曲選択手段によって選択された発売前楽曲情報を前記携帯端末装置へ配信する配信手段と
を備えたことを特徴とする楽曲配信装置。
【発明の詳細な説明】
【技術分野】
【０００１】
本発明は、楽曲配信システムおよび楽曲配信装置に関し、特に、レコード会社が薦める発売前の楽曲をユーザに対して適切に試聴させることができる楽曲配信システムおよび楽曲配信装置に関する。
【背景技術】
【０００２】
従来、携帯電話向けの音楽ダウンロードサービスのように、各レコード会社が保有する楽曲を携帯端末装置に対して配信する楽曲配信システムが知られている。
【０００３】
このような楽曲配信システムでは、販促効果を高めることを目的とした各種のサービスが行われている。たとえば、楽曲配信システムでは、嗜好の似たユーザがダウンロードした楽曲やかかる楽曲のアーティストに関する情報を提示するリコメンドサービスを行っている（たとえば、特許文献１参照）。
【０００４】
具体的には、楽曲配信システムでは、ユーザＡが楽曲「ＢＢ」をダウンロードした場合に、楽曲「ＢＢ」をダウンロードしたことのある他のユーザＣが過去にダウンロードした楽曲のアーティスト「ＤＤ」をユーザＡが好むアーティストであると推測する。そして、楽曲配信システムでは、アーティスト「ＤＤ」の楽曲情報をユーザＡの携帯端末装置へ送信することによってアーティスト「ＤＤ」の売れ筋楽曲等をユーザＡに対して試聴させていた。
【０００５】
このようなリコメンドサービスを実施することによって、楽曲配信システムでは、ダウンロード実績のある楽曲、すなわち、発売済みの楽曲に対する販促効果を高めることができる。
【０００６】
一方、レコード会社では、発売済みの楽曲だけでなく、発売前の楽曲もユーザに対して試聴させることで、発売前の楽曲に対するユーザの購買意欲を促進させたいと考える場合がある。
【先行技術文献】
【特許文献】
【０００７】
【特許文献１】特開２００９−１６９９０９号公報
【発明の概要】
【発明が解決しようとする課題】
【０００８】
しかしながら、上述した従来技術では、発売前の楽曲をユーザに対して試聴させたいというレコード会社の要望を十分に満足させることができなかった。
【０００９】
たとえば、レコード会社では、ユーザからのダウンロード実績が未だないデビュー前の新人アーティストの発売前の楽曲をユーザに試聴させたいという要望がある。しかし、従来のリコメンドサービスでは、ダウンロード実績が既にあるアーティストの楽曲しか紹介することができないため、上記の要望を満たすことができなかった。
【００１０】
このことから、レコード会社が薦める発売前の楽曲をユーザに対して適切に試聴させることができる楽曲配信システムあるいは楽曲配信装置をいかにして実現するかが大きな課題となっている。
【００１１】
本発明は、上述した従来技術による問題点を解消するためになされたものであって、レコード会社が薦める発売前の楽曲をユーザに対して適切に試聴させることができる楽曲配信システムおよび楽曲配信装置を提供することを目的とする。
【課題を解決するための手段】
【００１２】
上述した課題を解決し、目的を達成するために、本発明は、携帯端末装置と、前記携帯端末装置に対して楽曲を配信する楽曲配信装置とを含んだ楽曲配信システムであって、前記楽曲配信装置は、発売前楽曲の音源データを含んだ発売前楽曲情報を記憶する配信楽曲記憶手段と、前記配信楽曲記憶手段に記憶された発売前楽曲情報の中から所定の発売前楽曲情報を選択する楽曲選択手段と、前記楽曲選択手段によって選択された発売前楽曲情報を前記携帯端末装置へ配信する配信手段とを備え、前記携帯端末装置は、前記配信手段によって配信された発売前楽曲情報を記憶する受信楽曲記憶手段と、前記受信楽曲記憶手段に記憶された発売前楽曲情報に含まれる音源データの再生処理を実行する再生処理手段とを備えたことを特徴とする。
【００１３】
また、本発明は、携帯端末装置に対して楽曲を配信する楽曲配信装置であって、発売前楽曲の音源データを含んだ発売前楽曲情報を記憶する配信楽曲記憶手段と、前記配信楽曲記憶手段に記憶された発売前楽曲情報の中から所定の発売前楽曲情報を選択する楽曲選択手段と、前記楽曲選択手段によって選択された発売前楽曲情報を前記携帯端末装置へ配信する配信手段とを備えたことを特徴とする。
【発明の効果】
【００１４】
本発明によれば、楽曲配信装置の配信記憶手段が、発売前楽曲の音源データを含んだ発売前楽曲情報を記憶し、楽曲配信装置の楽曲選択手段が、配信楽曲記憶手段に記憶された発売前楽曲情報の中から所定の発売前楽曲情報を選択し、楽曲配信装置の配信手段が、楽曲選択手段によって選択された発売前楽曲情報を携帯端末装置へ配信する。また、本発明によれば、携帯端末装置の受信楽曲記憶手段が、配信手段によって配信された発売前楽曲情報を記憶し、携帯端末装置の再生処理手段が、受信楽曲記憶手段に記憶された発売前楽曲情報に含まれる音源データの再生処理を実行することとした。したがって、レコード会社が薦める発売前の楽曲をユーザに対して適切に試聴させることができるという効果を奏する。
【図面の簡単な説明】
【００１５】
【図１】図１は、本発明に係る楽曲配信手法の概要を示す図である。
【図２】図２は、本実施例に係る楽曲配信装置が接続されるネットワーク環境を示す図である。
【図３】図３は、本実施例に係る楽曲配信装置および携帯端末装置の構成を示すブロック図である。
【図４】図４は、楽曲配信装置に記憶される配信楽曲情報の一例を示す図である。
【図５】図５は、車載装置の構成を示すブロック図である。
【図６】図６は、発売前楽曲の配信処理および再生処理の動作例を示す図である。
【図７】図７は、再生履歴情報の送信処理および実績情報の蓄積処理の動作例を示す図である。
【図８】図８は、予約処理の動作例を示す図である。
【図９】図９は、乗車者の組合せを考慮して発売前楽曲を配信する場合の動作例を示す図である。
【図１０】図１０は、ユーザの嗜好順に発売前楽曲を再生する場合の動作例を示す図である。
【図１１】図１１は、楽曲配信装置、携帯端末装置および車載装置の間で実行される処理手順を示すシーケンス図である。
【発明を実施するための形態】
【００１６】
以下に添付図面を参照して、本発明に係る楽曲配信手法を適用した楽曲配信システムおよび楽曲配信装置の実施例を詳細に説明する。なお、以下では、本発明に係る楽曲配信手法の概要について図１を用いて説明した後に、本発明に係る楽曲配信手法を適用した楽曲配信システムおよび楽曲配信装置についての実施例を図２〜図１１を用いて説明することとする。
【００１７】
まず、実施例の詳細な説明に先立ち、本発明に係る楽曲配信手法の概要について図１を用いて説明する。図１は、本発明に係る楽曲配信手法の概要を示す図である。同図に示すように、本発明に係る楽曲配信手法では、各レコード会社が薦める発売前の楽曲（以下、「発売前楽曲」と記載する）を各レコード会社が指定する特定のユーザに対して試聴させるために配信する。
【００１８】
具体的には、同図に示したように、本発明に係る楽曲配信手法では、まず、楽曲配信センタが、各レコード会社から配信依頼情報を取得する（同図の（１）参照）。ここで、楽曲配信センタとは、携帯端末装置への楽曲配信サービスを提供する企業等である。
【００１９】
また、配信依頼情報とは、各レコード会社がユーザに対して試聴させたい発売前楽曲の音源データを含んだ発売前楽曲情報をターゲットとなるユーザの性別や年代といった属性情報と関連付けた情報である。なお、発売前楽曲情報は、発売前楽曲の音源データの他、楽曲名、アーティスト名、発売日等を含んでいる。
【００２０】
楽曲配信センタでは、レコード会社から配信依頼情報を取得すると、取得した配信依頼情報を配信楽曲ＤＢ（データベース）へ格納する（同図の（２）参照）。すなわち、配信楽曲ＤＢには、各レコード会社が薦める発売前楽曲が、かかる発売前楽曲を試聴させたいターゲットユーザの属性情報と関連付けて記憶されることとなる。
【００２１】
つづいて、本発明に係る楽曲配信手法では、携帯端末装置が、自装置のユーザに関する属性情報を楽曲配信センタに対して送信する（同図の（３）参照）。ここで、かかる属性情報には、ユーザの性別や年代等が含まれている。
【００２２】
また、楽曲配信センタでは、配信楽曲ＤＢに記憶された発売前楽曲情報のうち、携帯端末装置から受信した属性情報に対応する発売前楽曲情報を選択して携帯端末装置へ配信する（同図の（４）参照）。そして、本発明に係る楽曲配信手法では、携帯端末装置が、楽曲配信センタから配信された発売前楽曲情報を記憶するとともに、記憶した発売前楽曲情報の再生処理を実行する（同図の（５）参照）。
【００２３】
たとえば、携帯端末装置は、車載装置との間で近距離無線通信を行う機能を備えている。そして、本発明に係る楽曲配信手法では、携帯端末装置が、車載装置との間で通信リンクを確立させた場合に、発売前楽曲情報に含まれる音源データを車載装置を用いて再生させる。なお、かかる場合に、携帯端末装置は、発売前楽曲を車載装置に対して再生させるだけでなく、自装置で再生することもできる。
【００２４】
このように、本発明に係る楽曲配信手法では、楽曲配信センタが、各レコード会社が薦める発売前楽曲をターゲットユーザの属性情報と関連付けて配信楽曲ＤＢへ記憶し、配信楽曲ＤＢに記憶された発売前楽曲情報の中から携帯端末装置のユーザの属性情報と関連付けられた発売前楽曲情報を選択して配信する。そして、本発明に係る楽曲配信手法では、携帯端末装置が、楽曲配信センタから配信された発売前楽曲情報を記憶するとともに、所定のタイミング、特に、車載装置との通信リンクが確立した場合に、発売前楽曲情報に含まれる音源データの再生処理を実行することとした。したがって、レコード会社が薦める発売前の楽曲をユーザに対して適切に試聴させることができる。
【００２５】
すなわち、従来のリコメンドサービスでは、ダウンロード実績のないデビュー前のアーティストの発売前楽曲を紹介することができない。また、発売前の楽曲をウェブサイトへアップロードして試聴させようとした場合であっても、レコード会社が薦める発売前楽曲をターゲットユーザが選択して試聴してくれるとは限らない。このように、これらのサービスを用いたとしても、レコード会社が薦める発売前の楽曲をユーザに対して適切に試聴させることが困難であった。
【００２６】
一方、本発明に係る楽曲配信手法では、各レコード会社が薦める発売前楽曲を各レコード会社がターゲットとするユーザに対して配信することで、各レコード会社が薦める発売前楽曲がターゲットユーザによって試聴される機会をより確実に増やすことができる。また、本発明に係る楽曲配信手法によれば、既に人気のあるアーティストだけでなく、将来性のある新人アーティストの発売前楽曲をユーザに購入してもらうきっかけを作ることができる。すなわち、レコード会社からユーザに対して発売前楽曲を売り込むことによって、ビジネスチャンスの広げることが可能となる。
【００２７】
また、発売前楽曲の全てを無条件に配信することとすると、膨大な量の発売前楽曲がユーザに対して配信されることとなり、ユーザが発売前楽曲を試聴しきれなかったり、ユーザの試聴意欲を減退させてしまったりするおそれがある。この結果、レコード会社がターゲットとするユーザに対して発売前楽曲を試聴してもらえないおそれがある。
【００２８】
しかし、本発明に係る楽曲配信手法のように、レコード会社がターゲットとするユーザに限定して発売前楽曲を配信することによって、各レコード会社が薦める発売前楽曲を、その発売前楽曲を試聴してほしいユーザに対してより確実に試聴させることが可能となる。
【００２９】
ところで、本発明に係る楽曲配信手法では、各携帯端末装置による発売前楽曲の再生実績を各レコード会社へフィードバックすることも併せて行っている。これによって、レコード会社は、再生実績をマーケティングに活用したり、再生実績が思わしくない場合にはターゲット層を変更する等の対処を行ったりすることもできる。なお、かかる点の詳細については、実施例において後述することとする。
【００３０】
以下では、図１を用いて説明した楽曲配信手法を適用した楽曲配信システムおよび楽曲配信装置についての実施例を詳細に説明する。
【実施例】
【００３１】
図２は、本実施例に係る楽曲配信装置が接続されるネットワーク環境を示す図である。同図に示すように、本実施例に係る楽曲配信装置１０は、インターネットや無線通信網といったネットワークを介して携帯端末装置２０と接続する。また、楽曲配信装置１０は、インターネット等のネットワークを介してレコード会社Ａ〜Ｃと接続されている。なお、本実施例に係る楽曲配信システムは、楽曲配信装置１０および携帯端末装置２０を少なくとも含むものである。
【００３２】
レコード会社Ａ〜Ｃは、ＣＤ等のレコードや楽曲配信用の音源データの製作・販売を行う企業である。本実施例において、レコード会社Ａ〜Ｃは、自社が保有する発売前楽曲のうち、ユーザに対して特に試聴させたいお薦め楽曲を、その楽曲を試聴させたいターゲットユーザの属性情報と関連付けて記憶する発売前お薦め楽曲ＤＢ（データベース）４００ａ〜４００ｃを有している。
【００３３】
また、楽曲配信装置１０は、配信楽曲ＤＢ１００を有している。配信楽曲ＤＢ１００は、携帯端末装置２０に対して配信する楽曲を格納するデータベースである。具体的には、レコード会社Ａ〜Ｃは、発売前お薦め楽曲ＤＢ４００ａ〜４００ｃに記憶した発売前楽曲情報およびターゲットユーザの属性情報を配信依頼情報として楽曲配信装置１０へ送信する。そして、楽曲配信装置１０は、各レコード会社Ａ〜Ｃから受け取った発売前楽曲情報およびターゲットユーザの属性情報を配信楽曲ＤＢ１００へ格納する。
【００３４】
一方、携帯端末装置２０は、ブルートゥース（登録商標）などの近距離無線通信を用いて車載装置３０間と接続する。ここで、ブルートゥース（Bluetooth：登録商標）とは、２．４ＧＨｚの周波数帯を用いて半径数１０ｍ程度の無線通信を行う近距離無線通信規格であり、近年では、携帯電話やパーソナルコンピュータなどの電子機器に広く適用されている。
【００３５】
なお、本実施例では、ブルートゥース（登録商標）を用いて携帯端末装置２０／車載装置３０間の通信を行う場合について説明するが、Ｗｉ−Ｆｉ（ワイファイ：登録商標）、ＺｉｇＢｅｅ（ジグビー：登録商標）といった他の無線通信規格を用いることとしてもよい。また、携帯端末装置２０／車載装置３０間の通信を有線通信で行うこととしてもよい。
【００３６】
車載装置３０は、表示機能やオーディオ再生機能、携帯端末装置との通信機能といった基礎的な機能のみを実装し、携帯端末装置２０と連携することで多機能化する車載装置である。
【００３７】
次に、本実施例に係る楽曲配信装置１０および携帯端末装置２０の構成について図３を用いて説明する。図３は、本実施例に係る楽曲配信装置１０および携帯端末装置２０の構成を示すブロック図である。なお、同図には、楽曲配信装置１０および携帯端末装置２０の特徴を説明するために必要な構成要素のみを示しており、一般的な構成要素についての記載を省略している。
【００３８】
同図に示したように、楽曲配信装置１０は、通信インタフェース１１と、記憶部１２と、制御部１３とを備えている。また、記憶部１２は、ユーザ情報１２ａと、配信楽曲情報１２ｂとを記憶しており、制御部１３は、楽曲選択部１３ａと、楽曲配信部１３ｂと、実績情報蓄積部１３ｃと、実績情報送信部１３ｄとを備えている。なお、記憶部１２は、図２に示した配信楽曲ＤＢ１００に相当する。
【００３９】
一方、携帯端末装置２０は、通信インタフェース２１と、近距離通信部２２と、制御部２３と、記憶部２４とを備えている。また、制御部２３は、楽曲要求部２３ａと、連携部２３ｂと、再生処理部２３ｃと、履歴情報送信部２３ｄとを備えている。また、記憶部２４は、ユーザ情報２４ａと、楽曲情報２４ｂと、再生履歴情報２４ｃとを記憶している。
【００４０】
以下では、まず、楽曲配信装置１０の各構成要素について説明する。通信インタフェース１１は、携帯端末装置２０との間で通信データの送受信を行う通信デバイスである。
【００４１】
記憶部１２は、不揮発性メモリやハードディスクドライブといった記憶デバイスであり、ユーザ情報１２ａおよび配信楽曲情報１２ｂを記憶する。ユーザ情報１２ａは、楽曲配信センタが提供する楽曲配信サービスの加入者に関する情報である。具体的には、ユーザ情報１２ａは、ユーザの性別や年代といった属性情報をユーザが所持する携帯端末装置の識別子（以下、「ＩＤｍ」と記載する）と関連付けた情報である。
【００４２】
配信楽曲情報１２ｂは、各レコード会社Ａ〜Ｃから送信される配信依頼に含まれる発売前楽曲情報およびターゲット属性情報を各レコード会社Ａ〜Ｃの識別情報と関連づけた情報である。ここで、かかる配信楽曲情報１２ｂの具体的な内容について図４を用いて説明する。
【００４３】
図４は、楽曲配信装置１０に記憶される配信楽曲情報１２ｂの一例を示す図である。なお、同図の（Ａ）には、配信楽曲情報１２ｂの一例を、同図の（Ｂ）には、配信楽曲情報１２ｂに含まれる実績情報の一例を、それぞれ示している。
【００４４】
同図の（Ａ）に示したように、配信楽曲情報１２ｂは、「ターゲット属性情報」項目と、「発売前楽曲情報」項目と、「実績情報」項目とをレコード会社の識別情報と関連付けた情報である。
【００４５】
ここで、「ターゲット属性情報」項目は、レコード会社Ａ〜Ｃが発売前楽曲を試聴させたいと考えているユーザであるターゲットユーザに関する属性情報が格納される項目である。具体的には、「ターゲット属性情報」項目は、「性別」項目および「年代」項目を含んでいる。「性別」項目は、ターゲットユーザの性別が格納される項目であり、「年代」項目は、ターゲットユーザの年代が格納される項目である。
【００４６】
「発売前楽曲情報」項目は、発売前楽曲の音源データを含む発売前楽曲に関する情報が格納される項目である。具体的には、「発売前楽曲情報」項目は、「アーティスト」項目、「曲名」項目、「発売日」項目、「その他情報」項目および「音源データ」項目を含んでいる。
【００４７】
「アーティスト」項目は、発売前楽曲の演奏者（アーティスト）の名称が格納される項目であり、「曲名」項目は、発売前楽曲の楽曲名が格納される項目であり、「発売日」項目は、発売前楽曲の発売日が格納される項目である。
【００４８】
「その他情報」項目には、発売前楽曲に関するその他の情報が格納される。たとえば、「その他情報」項目には、発売前楽曲のジャンル、発売前楽曲を収録したアルバムのアルバム名あるいは発売前楽曲のタイアップ情報等が格納される。「音源データ」項目は、発売前楽曲の音源データが格納される項目である。
【００４９】
「実績情報」項目は、発売前楽曲の配信実績や再生実績等が格納される項目であり、後述する実績情報蓄積部１３ｃによって蓄積される。ここで、同図の（Ａ−１）に示した「実績情報」項目の具体的内容を同図の（Ｂ）に示す。
【００５０】
同図の（Ｂ）に示したように、「実績情報」項目は、「配信数」項目、「再生回数」項目、「リピート回数」項目、「お気に入り登録数」項目、「予約数」項目、「スキップ回数」項目および「削除回数」項目を含んでいる。なお、実績情報を蓄積する場合の動作例については、図７を用いて後述することとする。
【００５１】
「配信数」項目は、発売前楽曲の携帯端末装置２０への配信数が格納される項目である。「再生回数」項目は、携帯端末装置２０の再生処理部２３ｃによって再生処理が行われた回数が格納される項目である。また、「再生回数」項目は、「車載装置」項目および「携帯端末」項目を含んでいる。ここで、「車載装置」項目は、発売前楽曲が車載装置３０を介して再生された回数を格納する項目であり、「携帯端末」項目は、発売前楽曲が車載装置３０を介することなく再生された回数を格納する項目である。
【００５２】
「リピート回数」項目は、発売前楽曲がリピート再生された回数が格納される項目であり、「お気に入り登録数」項目は、発売前楽曲が携帯端末装置２０のお気に入りフォルダへの登録された回数が格納される項目である。また、「スキップ回数」項目は、発売前楽曲が先送り操作された回数が格納される項目であり、「削除回数」項目は、発売前楽曲が削除された回数が格納される項目である。
【００５３】
図３に戻り、制御部１３について説明する。楽曲選択部１３ａは、記憶部１２に記憶された配信楽曲情報１２ｂの中からユーザの属性情報と関連付けられた発売前楽曲情報を選択する処理部である。
【００５４】
具体的には、楽曲選択部１３ａは、携帯端末装置２０の楽曲要求部２３ａから発売前楽曲の配信要求を受け取った場合に、配信要求から属性情報を取り出す。そして、楽曲選択部１３ａは、取り出した属性情報に対応する発売前楽曲情報を配信楽曲情報１２ｂの中から選択する。また、楽曲選択部１３ａは、選択した発売前楽曲情報を楽曲配信部１３ｂへ渡す処理も併せて行う。
【００５５】
楽曲配信部１３ｂは、楽曲選択部１３ａによって選択された発売前楽曲情報を通信インタフェース１１経由で携帯端末装置２０へ配信する処理部である。具体的には、楽曲配信部１３ｂは、図４の（Ａ）に示した「アーティスト」項目、「曲名」項目、「発売日」項目、「その他情報」項目および「音源データ」項目に格納された各情報を携帯端末装置２０の楽曲要求部２３ａへ配信する。
【００５６】
なお、楽曲選択部１３ａおよび楽曲配信部１３ｂの動作例については、図６を用いて後述することとする。
【００５７】
実績情報蓄積部１３ｃは、携帯端末装置２０から取得した再生履歴情報を実績情報として記憶部１２へ蓄積する処理部である。具体的には、実績情報蓄積部１３ｃは、携帯端末装置２０の履歴情報送信部２３ｄから発売前楽曲の再生履歴情報を取得すると、取得した再生履歴情報を対応する発売前楽曲情報と関連付け、実績情報として配信楽曲情報１２ｂへ蓄積する。なお、実績情報の内容は、図４の（Ｂ）に示した通りである。
【００５８】
実績情報送信部１３ｄは、配信楽曲情報１２ｂに蓄積された実績情報を定期的に（たとえば、１日に１回）取り出し、取り出した実績情報を対応するレコード会社Ａ〜Ｃに対して送信する処理部である。このように実績情報を各レコード会社へ送信することによって、各レコード会社Ａ〜Ｃは、取得した実績情報をマーケティングに活用したり、実績情報が思わしくない場合にはターゲット層を変更する等の対処を行ったりすることができる。
【００５９】
なお、実績情報蓄積部１３ｃおよび実績情報送信部１３ｄの動作例については、図７を用いて後述することとする。
【００６０】
次に、携帯端末装置２０の各構成要素について説明する。通信インタフェース２１は、楽曲配信装置１０との間で通信データの送受信を行う通信デバイスである。また、近距離通信部２２は、車載装置３０との間でブルートゥース（登録商標）などの近距離無線通信を行うための通信デバイスである。
【００６１】
制御部２３は、発売前楽曲の配信要求処理、車載装置３０との連携処理、発売前楽曲の再生処理、再生履歴情報の送信処理といった処理を実行する処理部である。
【００６２】
楽曲要求部２３ａは、楽曲配信装置１０に対して発売前楽曲の配信要求を行う処理部である。具体的には、楽曲要求部２３ａは、ユーザ情報２４ａからユーザの属性情報を取り出し、取り出した属性情報を含んだ配信要求を通信インタフェース２１経由で楽曲配信装置１０の楽曲選択部１３ａへ送信する。
【００６３】
ここで、記憶部２４に記憶されるユーザ情報２４ａには、ユーザの性別や年代といった属性情報が含まれている。なお、かかるユーザ情報２４ａは、属性情報の他にユーザの嗜好情報も含んでいるが、かかる点については、図１０を用いて後述することとする。
【００６４】
なお、楽曲要求部２３ａは、所定のタイミングが到来した場合に配信要求を行う。ここで、所定のタイミングとは、たとえば、携帯端末装置２０の電源が投入された場合や、本実施例に係る楽曲配信システムを実現するための楽曲配信アプリケーションを起動させた場合あるいは前回の配信要求から所定期間が経過した場合などである。
【００６５】
また、楽曲要求部２３ａは、楽曲配信部１３ｂから発売前楽曲情報を取得すると、取得した発売前楽曲情報を楽曲情報２４ｂとして記憶部２４に記憶する処理も併せて行う。
【００６６】
連携部２３ｂは、ブルートゥース（登録商標）などの近距離無線通信を用いて車載装置３０との通信リンクを確立するとともに、確立した通信リンクを用いて携帯端末装置２０／車載装置３０間の通信処理を行う処理部である。
【００６７】
また、連携部２３ｂは、車載装置３０との通信リンクを確立した場合に、通信リンクが確立した旨を再生処理部２３ｃへ通知する処理も併せて行う。また、連携部２３ｂは、車載装置３０から受け取った各種操作情報を再生処理部２３ｃへ渡す処理も行う。
【００６８】
再生処理部２３ｃは、記憶部２４に記憶された楽曲情報２４に含まれる音源データの再生処理を実行する処理部である。具体的には、再生処理部２３ｃは、車載装置３０との通信リンクが確立した旨を連携部２３ｂから受けた場合に、発売前楽曲情報の再生処理を開始する。ここで、かかる再生処理の動作例については、図６を用いて後述することとする。なお、再生処理部２３ｃは、車載装置３０と連携して発売前楽曲を再生するだけでなく、自装置単体で発売前楽曲を再生することもできる。
【００６９】
また、再生処理部２３ｃは、連携部２３ｂから発売前楽曲の再生に関する各種の操作情報を受け取った場合に、受け取った操作に対応する処理を実行する。たとえば、再生処理部２３ｃは、連携部２３ｂから発売前楽曲のスキップ操作を受け取った場合には、楽曲情報２４ｂから次の発売前楽曲情報を取り出して車載装置３０へ送信する。
【００７０】
また、再生処理部２３ｃは、連携部２３ｂから受け取った各種の操作情報を対応する発売前楽曲の楽曲名等と関連付けて再生履歴情報２４ｃとして記憶部２４に記憶する処理も行う。なお、かかる処理の詳細については、図７を用いて後述することとする。
【００７１】
履歴情報送信部２３ｄは、記憶部２４に記憶された再生履歴情報２４ｃを所定のタイミング（たとえば、１日１回）で楽曲配信装置１０のへ送信する処理部である。
【００７２】
記憶部２４は、不揮発性メモリやハードディスクドライブといった記憶デバイスであり、ユーザ情報２４ａ、楽曲情報２４ｂおよび再生履歴情報２４ｃを記憶する。ユーザ情報２４ａは、ユーザの属性情報や嗜好情報を含んだ情報である。
【００７３】
また、楽曲情報２４ｂは、楽曲配信装置１０から配信された発売前楽曲情報であり、再生履歴情報２４ｃは、発売前楽曲に対する各種操作（たとえば、再生操作やリピート操作あるいはスキップ操作など）の操作履歴を発売前楽曲情報に含まれる「曲名」項目等と関連付けた情報である。
【００７４】
次に、車載装置３０の構成について図５を用いて説明する。図５は、車載装置３０の構成を示すブロック図である。なお、同図には、車載装置３０の特徴を説明するために必要な構成要素のみを示しており、一般的な構成要素についての記載を省略している。
【００７５】
同図に示したように、車載装置３０は、近距離通信部３１と、タッチパネルディスプレイ３２と、スピーカ３３と、制御部３４とを備えている。近距離通信部３１は、携帯端末装置２０との間でブルートゥース（登録商標）などの近距離無線通信を行うための通信デバイスである。
【００７６】
タッチパネルディスプレイ３２は、各種画像を表示するためのディスプレイの表面に入力用のタッチパネルを付した入出力デバイスである。ここでは、説明の便宜上、タッチパネルディスプレイ３２を表示部３２ａと操作部３２ｂとに分けて説明する。スピーカ３３は、携帯端末装置２０から近距離通信部３１を介して送信される音源データを出力する音声出力部である。
【００７７】
制御部３４は、連携部３４ａと再生処理部３４ｂとを備えている。連携部３４ａは、ブルートゥース（登録商標）などの近距離無線通信を用いて携帯端末装置２０との通信リンクを確立するとともに、確立した通信リンクを用いて車載装置３０／携帯端末装置２０間の通信処理を行う処理部である。
【００７８】
また、連携部３４ａは、携帯端末装置２０から発売前楽曲情報を取得した場合に、発売前楽曲情報に含まれる音源データを再生処理部３４ｂへ渡す処理も併せて行う。また、連携部３４ａは、携帯端末装置２０から取得した発売前楽曲情報に含まれる音源データ以外の情報（たとえば、図４（Ａ）に示した「アーティスト」項目や「曲名」項目など）を表示部３２ａに対して表示させる処理を行う。
【００７９】
また、連携部３４ａは、操作部３２ｂから各種の操作情報を取得した場合に、取得した操作情報を近距離通信部３１経由で携帯端末装置２０へ送信する処理を行う。
【００８０】
再生処理部３４ｂは、連携部３４ａから音源データを受け取った場合に、受け取った音源データをスピーカ３３に対して出力させる処理部である。
【００８１】
次に、発売前楽曲の配信処理および再生処理の動作例について図６を用いて説明する。図６は、発売前楽曲の配信処理および再生処理の動作例を示す図である。なお、同図の（Ａ）には、発売前楽曲の配信処理の動作例について、同図の（Ｂ）には、発売前楽曲の再生処理の動作例について、それぞれ示している。
【００８２】
同図の（Ａ）に示したように、携帯端末装置２０では、楽曲要求部２３ａが、電源投入時等に、ユーザ情報２４ａから属性情報を取り出し、取り出した属性情報を含んだ配信要求を楽曲配信装置１０に対して送信する（同図の（Ａ−１）参照）。ここで、楽曲要求部２３ａは、性別「男性」および年代「２０代」を含んだ属性情報を楽曲配信装置１０へ送信するものとする。
【００８３】
つづいて、楽曲配信装置１０では、楽曲選択部１３ａが、携帯端末装置２０から配信要求を受信すると、受信した配信要求から属性情報を取り出し、取り出した属性情報に対応する発売前楽曲情報を配信楽曲情報１２ｂの中から選択する（同図の（Ａ−２）参照）。ここで、楽曲選択部１３ａは、性別「男性」および年代「２０代」を含んだ属性情報を受信したため、性別「男性」および年代「２０代」と関連付けられた発売前楽曲情報として、曲名「●●●」、発売日「３／２４」等を含んだ発売前楽曲情報を選択する。（図４の（Ａ）参照）。
【００８４】
なお、ここでは、発売前楽曲情報が１つのみ選択される場合について説明するが、楽曲選択部１２ａは、該当する発売前楽曲情報が複数存在する場合には、複数の発売前楽曲情報を選択する。また、楽曲配信装置１０は、携帯端末装置２０に対して配信済みの発売前楽曲情報を所定の記憶領域に記憶しており、未配信の発売前楽曲情報のみを配信するものとする。
【００８５】
つづいて、楽曲配信装置１０では、楽曲配信部１３ｂが、楽曲選択部１３ａによって選択された発売前楽曲情報を携帯端末装置２０へ配信する（同図の（Ａ−３）参照）。そして、携帯端末装置２０では、楽曲要求部１３ａが、受信した発売前楽曲情報を楽曲情報２４ｂとして記憶部２４へ追加する（同図の（Ａ−４）参照）。
【００８６】
なお、ここでは、携帯端末装置２０が配信要求として属性情報を送信する場合について説明したが、これに限ったものではない。すなわち、携帯端末装置２０の楽曲要求部２３ａが、配信要求として自装置のＩＤｍを楽曲配信装置１０の楽曲選択部１３ａへ送信し、楽曲選択部１３ａが、携帯端末装置２０から取得したＩＤｍに対応する属性情報をユーザ情報１２ａから取り出すこととしてもよい。
【００８７】
一方、図６の（Ｂ）に示したように、携帯端末装置２０では、連携部２３ｂが、車載装置３０との間で通信リンクを確立させると（同図の（Ｂ−１）参照）、再生処理部２３ｃが、楽曲情報２４ｂのうち音源データ以外の情報を楽曲リストとして記憶部２４から取り出して車載装置３０へ送信する（同図の（Ｂ−２）参照）。
【００８８】
つづいて、車載装置３０では、連携部３４ａが、携帯端末装置２０から受信した楽曲リストをタッチパネルディスプレイ３２の表示部３２ａに対して表示させる（同図の（Ｂ−３）参照）。そして、車載装置３０では、表示部３２ａへ表示された楽曲リストを見たユーザによってタッチパネルディスプレイ３２の操作部３２ｂに対して再生操作が行われると、連携部３４ａが、携帯端末装置２０に対して再生指示を送信する（同図の（Ｂ−４）参照）。
【００８９】
つづいて、携帯端末装置２０では、連携部２３ｂが、車載装置３０から再生指示を受け取ると、記憶部２４から音源データを取り出して車載装置３０へ送信する（同図の（Ｂ−５）参照）。そして、車載装置３０では、再生処理部３４ｂが、携帯端末装置２０から受信した音源データを再生する（同図の（Ｂ−６）参照）。この結果、楽曲配信装置１０から配信された発売前楽曲が車載装置３０のスピーカから出力されることとなる。
【００９０】
このように、携帯端末装置２０の連携部２３ｂが、楽曲再生機能を備えた車載装置３０との間で通信リンクを確立させた場合に、携帯端末装置２０の再生処理部２３ｃが、記憶部２４に記憶された発売前楽曲情報を車載装置３０に対して再生させることとしたため、各レコード会社Ａ〜Ｃの薦める発売前楽曲がユーザによって試聴される機会を増やすことができる。
【００９１】
すなわち、ユーザは、運転中において車載装置３０を利用して楽曲を聴く機会が多い。そのため、本実施例のように、携帯端末装置２０に記憶された発売前楽曲を車載装置３０を利用して再生可能とすることで、ユーザが発売前楽曲を試聴する機会を増やすことができる。
【００９２】
ところで、携帯端末装置２０は、ユーザが気に入らなかった発売前楽曲を自動的に削除することができる。具体的には、携帯端末装置２０では、一定期間再生されなかった発売前楽曲情報あるいはユーザによってスキップ操作がなされた発売前楽曲情報が存在する場合（同図の（Ｂ−７）参照）、再生処理部２３ｃが、該当する発売前楽曲情報を記憶部２４から自動的に削除する（同図の（Ｂ−８）参照）。
【００９３】
このように、再生処理部２３ｃが、所定期間再生されなかった発売前楽曲情報または再生中に先送り操作が行われた発売前楽曲情報を記憶部２４から削除することとしたため、ユーザにとって不必要な発売前楽曲情報によって携帯端末装置２０の記憶容量が無駄に圧迫されることを防止できる。なお、携帯端末装置２０の再生処理部２３ｃは、発売前楽曲情報に含まれる「発売日」が現在日と一致した場合、すなわち、発売前楽曲の発売日が到来した場合にも削除する。
【００９４】
次に、再生履歴情報の送信処理および実績情報の蓄積処理の動作例について図７を用いて説明する。図７は、再生履歴情報の送信処理および実績情報の蓄積処理の動作例を示す図である。なお、同図の（Ａ）には、タッチパネルディスプレイ３２の表示例を、同図の（Ｂ）には、再生履歴情報の送信処理および実績情報の蓄積処理の動作例を、それぞれ示している。
【００９５】
同図の（Ａ）に示したように、タッチパネルディスプレイ３２の表示部３２ａには、発売前楽曲情報に含まれる音源データ以外の各種情報が表示される。具体的には、タッチパネルディスプレイ３２の表示部３２ａには、発売前楽曲のアーティスト名や楽曲名、アルバム名、発売日、ＣＤジャケット画像といった情報が表示される。
【００９６】
また、タッチパネルディスプレイ３２の表示部３２ａには、「予約」ボタン３００ａ、「お気に入り」ボタン３００ｂ、「削除」ボタン３００ｃ、「ＲＰＴ」ボタン３００ｄ、「頭出し」ボタン３００ｅおよび「先送り」ボタン３００ｆが表示されている。ユーザは、これらのソフトボタン３００ａ〜３００ｆを押下することによって発売前楽曲情報の再生に関する各種の操作を行うことができる。
【００９７】
具体的には、「予約」ボタン３００ａは、再生中の発売前楽曲を予約したい場合に押下されるソフトボタンである。また、「お気に入り」ボタン３００ｂは、再生中の発売前楽曲をお気に入りに登録したい場合に押下されるソフトボタンである。同様に、「削除」ボタン３００ｃ、「ＲＰＴ」ボタン３００ｄ、「頭出し」ボタン３００ｅおよび「先送り」ボタン３００ｆは、それぞれ、再生中の発売前楽曲の「削除」、「リピート」（繰り返し再生）、「頭出し」、「先送り」（スキップ）を行う場合に押下されるソフトボタンである。
【００９８】
ここで、同図の（Ｂ）に示したように、車載装置３０の連携部３４ａは、各ソフトボタン３００ａ〜３００ｆが押下されると、押下されたソフトボタン３００ａ〜３００ｆに対応する操作情報を携帯端末装置２０に対して送信する（同図の（Ｂ−１）参照）。また、携帯端末装置２０の再生処理部２３ｃは、車載装置３０から受信した操作情報に従って予約処理やお気に入り登録処理、削除処理といった各種の処理を実行する。
【００９９】
なお、お気に入り登録処理とは、発売前楽曲情報を記憶部２４の他の記憶領域（お気に入りフォルダ）へ移動させる処理である。また、再生処理部２３ｃは、「先送り」操作を受信した場合には、楽曲情報２４ｂから次の発売前楽曲情報を取り出して車載装置３０へ送信するとともに、「先送り」操作がなされた発売前楽曲情報を記憶部２４から自動的に削除する。なお、予約処理については、図８を用いて後述することとする。
【０１００】
つづいて、携帯端末装置２０では、再生処理部２３ｃが、車載装置３０から受信した操作情報に応じて再生履歴情報２４ｃを更新する（同図の（Ｂ−２）参照）。ここで、再生履歴情報２４ｃは、図４の（Ｂ）に示した実績情報のうち「配信数」項目を除いた項目を含んでいる。なお、「配信数」項目は、楽曲配信部１３ｂが発売前楽曲情報の配信を行うごとに更新される。
【０１０１】
たとえば、再生処理部２３ｃは、連携部２３ｂによって車載装置３０との通信リンクが確立している状態で、発売前楽曲情報の再生指示を車載装置３０から受信した場合には、「再生回数」項目に含まれる「車載装置」項目に「１」を追加する。また、再生処理部２３ｃは、連携部２３ｂによって車載装置３０との通信リンクが確立されていない状態で、発売前楽曲情報の再生操作が自装置によってなされた場合には、「再生回数」項目に含まれる「携帯端末」項目に「１」を追加する。
【０１０２】
すなわち、再生処理部２３ｃは、発売前楽曲が車載装置３０側で再生されたか（すなわち、車内で再生されたか）あるいは携帯端末装置２０側で再生されたか（すなわち、車外で再生されたか）を区別して記憶することとしている。
【０１０３】
つづいて、携帯端末装置２０では、履歴情報送信部２３ｄが、所定のタイミング（たとえば、１日１回）が到来した場合に、再生履歴情報２４ｃを楽曲配信装置１０へ送信する（同図の（Ｂ−３）参照）。また、楽曲配信装置１０では、実績情報蓄積部１３ｃが、携帯端末装置２０から受信した再生履歴情報２４ｃを対応する発売前楽曲情報と関連付けて実績情報として蓄積する（同図の（Ｂ−４）参照）。
【０１０４】
そして、楽曲配信装置１０では、実績情報送信部１３ｄが、所定のタイミング（たとえば、１日１回）で、各発売前楽曲情報の実績情報を対応するレコード会社Ａ〜Ｃに対してそれぞれ送信する（同図の（Ｂ−５）参照）。
【０１０５】
このように、携帯端末装置２０の履歴情報送信部２３ｄが、記憶部２４に記憶された発売前楽曲情報に対する再生操作、リピート操作、先送り操作あるいは削除操作の何れか一つを少なくとも含んだ再生履歴情報を楽曲配信装置１０に対して送信し、楽曲配信装置１０の実績情報蓄積部１３ｃが、携帯端末装置２０から取得した再生履歴情報を実績情報として発売前楽曲情報と関連付けて蓄積することとした。
【０１０６】
したがって、かかる実績情報を各レコード会社Ａ〜Ｃへ送信することによって、各レコード会社Ａ〜Ｃは、自社が薦める発売前楽曲に対するユーザからの反響を把握することができる。すなわち、レコード会社Ａ〜Ｃは、取得した実績情報をマーケティングに活用することができる。また、レコード会社Ａ〜Ｃは、発売前楽曲に対するターゲットユーザの反応が思わしくない場合に、ターゲット属性情報を変更するといった対処を行うことが可能となる。
【０１０７】
ここで、ターゲット属性情報の変更は、レコード会社からの指示に従って行ってもよいが、楽曲配信装置１０が、実績情報に基づいて自動的に変更させてもよい。具体的には、楽曲配信装置１０では、配信楽曲情報１２ｂとして蓄積された実績情報が所定の条件を満たした場合に、実績情報蓄積部１３ｃが、ターゲット属性情報の変更処理を行う。
【０１０８】
たとえば、楽曲配信装置１０では、実績情報に含まれる「再生回数」に対する「スキップ回数」の割合が所定の割合（たとえば、０．５）以上である場合や、「配信数」に対する「再生回数」の割合が所定の割合以下である場合に、かかる実績情報を持つ発売前楽曲情報と関連付けられたターゲット属性情報を他の属性情報へ変更する。
【０１０９】
すなわち、実績情報蓄積部１３ｃは、図４（Ａ）に示したアーティスト「○○○」、曲名「●●●」を含む発売前楽曲情報の実績情報が上記の条件を満たした場合に、かかる発売前楽曲情報と関連付けられたターゲット属性情報（性別「男性」、年代「２０代」）を他のターゲット属性情報（たとえば、性別「男性」、年代「３０代」など）へ変更する。
【０１１０】
このように、実績情報蓄積部１３ｃが、発売前楽曲情報と関連付けて蓄積した実績情報が所定の条件を満たした場合に、かかる発売前楽曲情報と関連付けられた属性情報を変更することとした。したがって、発売前楽曲に対するターゲットユーザの反応が思わしくない場合であっても、ターゲットユーザを迅速にシフトさせることによって、かかる発売前楽曲に対して良い反応を示すターゲットユーザをいち早く発見することができる。
【０１１１】
また、本実施例では、車載装置との通信リンクの確立の有無に応じて発売前楽曲情報が車載装置３０または携帯端末装置２０のどちらの装置で再生されたかを特定するとともに、特定結果をさらに含んだ再生履歴情報を楽曲配信装置１０に対して送信することとした。したがって、各レコード会社Ａ〜Ｃは、発売前楽曲の再生回数を車内で試聴された回数と車外で試聴された回数とに区別して把握することができる。
【０１１２】
次に、図７の（Ａ）に示した「予約」ボタン３００ａが押下された場合に実行される予約処理の動作例について図８を用いて説明する。図８は、予約処理の動作例を示す図である。なお、同図の（Ａ）には、予約処理の開始タイミングについて、同図の（Ｂ）には、予約処理の動作例について、それぞれ示している。
【０１１３】
同図の（Ａ）に示したように、車載装置３０では、連携部３４ａが、「予約」ボタン３００ａが押下された場合に、再生中の発売前楽曲を特定する情報（たとえば、楽曲名など）を含んだ予約指示を携帯端末装置２０に対して送信する（同図の（Ａ−１）参照）。
【０１１４】
また、携帯端末装置２０では、車載装置３０から予約指示を受信すると、再生処理部２３ｃが、自装置のＩＤｍをさらに含んだ予約指示を楽曲配信装置１０に対して送信する（同図の（Ａ−２）参照）。そして、楽曲配信装置１０では、携帯端末装置２０から受信した予約指示に基づいて予約処理を実行する（同図の（Ａ−３）参照）。
【０１１５】
なお、同図の（Ａ）に示したように、本実施例に係る携帯端末装置２０は、ＧＰＳ（Global  Positioning  System）衛星等の測位衛星から取得される位置情報（以下、「ＧＰＳ情報」と記載する）を取得可能であるものとする。
【０１１６】
一方、図８の（Ｂ）に示したように、楽曲配信装置１０では、予約処理の実行を開始すると、まず、楽曲配信部１３ｂが、該当する発売前楽曲の発売日が到来するまでの間、予約指示に含まれるＩＤｍに対応する携帯端末装置２０に対して各種の告知情報を定期的に配信する（同図の（Ｂ−１）参照）。
【０１１７】
たとえば、同図の（Ｂ）に示したように、楽曲配信部１３ｂは、ユーザが予約した発売前楽曲の曲名および発売日までの残り日数を配信する。なお、同図の（Ｂ）では、携帯端末装置２０が、楽曲配信部１３ｂから配信された告知情報を車載装置３０のタッチパネルディスプレイ３２に対して表示させた場合について示している。また、楽曲配信部１３ｂは、その他の告知情報として、ユーザが予約した発売前楽曲のアーティストのコンサート情報等を配信することもできる。
【０１１８】
つづいて、予約指示を受けた発売前楽曲の発売日が到来したとする（同図の（Ｂ−２）参照）。かかる場合に、楽曲配信装置１０では、ユーザが発売前楽曲のダウンロード購入を希望するならば、課金処理を行ったうえで（同図の（Ｂ−３）参照）、該当する発売前楽曲情報の配信期間の制限を解除する（同図の（Ｂ−４）参照）。これによって、ユーザは、発売前楽曲を発売後も引き続き聴くことができる。
【０１１９】
なお、楽曲配信装置１０は、発売前楽曲情報に含まれる音源データがフルコーラスではなく、発売前楽曲の一部しか含んでいない場合には、フルコーラスの音源データを携帯端末装置２０へ配信し直すこととすればよい。
【０１２０】
一方、ユーザがＣＤ（Compact Disc）の現物購入を希望する場合には、楽曲配信装置１０は、携帯端末装置２０に対して現在位置情報（すなわち、ＧＰＳ情報）の要求を行い、携帯端末装置２０からＧＰＳ情報を取得する（同図の（Ｂ−５）参照）。
【０１２１】
つづいて、楽曲配信装置１０は、取得したＧＰＳ情報によって示される携帯端末装置２０の現在位置の周辺に存在するＣＤショップの位置情報を携帯端末装置２０に対して送信する（同図の（Ｂ−６）参照）。そして、携帯端末装置２０では、楽曲配信装置１０から取得したＣＤショップの位置情報および測位衛星から取得した現在位置情報を車載装置３０のタッチパネルディスプレイ３２に対して表示させる。
【０１２２】
なお、このとき、楽曲配信装置１０は、楽曲配信センタの提携先であるＣＤショップの位置情報のみを配信することとすれば、提携先のＣＤショップの売上増加に貢献することができる。
【０１２３】
ところで、これまでは、ユーザが発売前楽曲を１人で試聴する場合を想定して説明してきたが、これに限ったものではない。すなわち、発売前楽曲を車内で試聴する場合には、発売前楽曲が複数のユーザによって試聴されることも考えられる。そこで、以下では、乗車者の組合せを考慮して発売前楽曲を配信する場合について図９を用いて説明する。
【０１２４】
図９は、乗車者の組合せを考慮して発売前楽曲を配信する場合の動作例を示す図である。なお、同図の（Ａ）には、乗車者の組合せの一例を、同図の（Ｂ）には、複数の属性情報の組合せと発売前楽曲情報とを関連付けた配信楽曲情報１２ｂの一例を、同図の（Ｃ）には、乗車者の組合せに応じた発売前楽曲情報を選択する動作例を、それぞれ示している。
【０１２５】
同図の（Ａ）に示したように、車載装置３０を搭載した車両には、２０代の女性および２０代の男性の２人が乗車している。なお、ここでは、両者がともに携帯端末装置を所持するとともに、両者が所持する携帯端末装置にはユーザの属性情報がそれぞれ記憶されているものとする。
【０１２６】
また、同図の（Ｂ）に示したように、楽曲配信装置１０の記憶部１２には、発売前楽曲を試聴させたいユーザの属性情報の組合せと関連付けて発売前楽曲情報が記憶されている。たとえば、同図の（Ｂ）に示した場合には、性別「男性」・年代「２０代」の属性情報と性別「女性」・年代「２０代」の属性情報との組合せ（組合せ名「２０代カップル」）が、曲名「●●●」を含んだ発売前楽曲情報と関連付けて記憶されている。
【０１２７】
同図の（Ｃ）に示したように、各乗車者は、各自の携帯端末装置２０ａ，２０ｂを用いて車載装置３０に対して属性情報を送信する（同図の（Ｃ−１）参照）。また、車載装置３０では、連携部３４ａが、所定時間内に受信した属性情報を組合せ情報として一方の携帯端末装置２０ａへ送信する（同図の（Ｃ−２）参照）。なお、連携部３４ａは、車載装置３０と先に通信リンクを確立した携帯端末装置２０に対して組合せ情報を送信すればよい。
【０１２８】
つづいて、車載装置３０から組合せ情報を受信した携帯端末装置２０ａでは、楽曲要求部２３ａが、組合せ情報を含んだ配信要求を楽曲配信装置１０に対して送信する（同図の（Ｃ−３）参照）。
【０１２９】
そして、楽曲配信装置１０では、楽曲選択部１３ａが、携帯端末装置２０ａから受信した組合せ情報に対応する発売前楽曲情報を選択する（同図の（Ｃ−４）参照）。ここでは、楽曲選択部１３ａは、「２０代カップル」の組合せ情報を受信したため、「２０代カップル」に対応する発売前楽曲情報として、曲名「●●●」を含んだ発売前楽曲情報を選択する。そして、楽曲配信装置１０では、楽曲配信部１３ｂが、選択された発売前楽曲情報を携帯端末装置２０ａに対して配信する。
【０１３０】
このように、本実施例では、車載装置３０の連携部３４ａが、乗車者の属性情報を取得するとともに、取得した属性情報を乗車者が所持する携帯端末装置２０へ送信し、楽曲配信装置１０の記憶部１２が、発売前楽曲情報を試聴させたいユーザの属性情報の組合せと関連付けて発売前楽曲情報を記憶することとした。また、本実施例では、携帯端末装置２０の楽曲要求部２３ａが、車載装置３０から複数の乗車者に対応する属性情報を取得した場合に、取得した属性情報の組合せを楽曲配信装置１０へ送信し、楽曲配信装置１０の楽曲選択部１３ａが、記憶部１２に記憶された発売前楽曲情報の中から楽曲要求部２３ａによって送信された属性情報の組合せと関連付けられた発売前楽曲情報を選択することとした。
【０１３１】
したがって、各レコード会社Ａ〜Ｃは、「２０代カップル」や「家族連れ」、「友人同士」といった乗車者の組合せを考慮して発売前楽曲の配信を行うことができるため、発売前楽曲の販促活動をターゲットをさらに絞って行うことができる。
【０１３２】
なお、ここでは、各乗車者の携帯端末装置２０ａ，２０ｂから車載装置３０に対して属性情報を送信する場合について説明したが、これに限ったものではない。たとえば、車載装置３０は、各乗車者に対して属性情報の入力を受け付けるとともに、入力された属性情報を車載装置３０と通信リンクを確立させた携帯端末装置２０へ送信することとしてもよい。これによって、携帯端末装置２０を所持していない乗車者（たとえば、子供）が乗車する場合であっても、適切な組合せ情報を送信することができる。
【０１３３】
ところで、携帯端末装置２０の記憶部２４には、発売前楽曲が大量に記憶される可能性もある。かかる場合、ユーザの気に入らない曲が続けて再生されることによって、ユーザの試聴意欲がそがれるおそれがある。そこで、このような場合を考慮して、記憶部２４に記憶された発売前楽曲をユーザの嗜好順に再生することとしてもよい。以下、かかる場合について図１０を用いて説明する。
【０１３４】
図１０は、ユーザの嗜好順に発売前楽曲を再生する場合の動作例を示す図である。なお、同図の（Ａ）には、ユーザ情報２４ａに含まれる嗜好情報の一例を、同図の（Ｂ）には、楽曲情報２４ｂに含まれる発売前楽曲の再生順序を、それぞれ示している。
【０１３５】
同図の（Ａ）に示したように、記憶部２４に記憶されるユーザ情報２４ａには、ユーザの嗜好情報が含まれている。具体的には、嗜好情報は、ユーザが好きなアーティストのアーティスト名やジャンル等を含む情報である。同図の（Ａ）に示した場合には、嗜好情報は、アーティスト「□□□」やジャンル「洋楽」等を含んでいる。
【０１３６】
また、携帯端末装置２０の再生処理部２３ｃは、楽曲情報２４ｂに含まれる発売前楽曲情報のうちユーザの嗜好情報との一致度が高いものから優先的に再生していく。ここで、同図の（Ｂ）に示したように、楽曲情報２４ｂは、アーティスト「○○○」、ジャンル「Ｊ−ＰＯＰ」の発売前楽曲情報と、アーティスト「△△△」、ジャンル「洋楽」の発売前楽曲情報と、アーティスト「□□□」、ジャンル「洋楽」の発売前楽曲情報とを含んでいる（同図の（Ｂ−１）参照）。
【０１３７】
かかる場合に、再生処理部２３ｃは、嗜好情報に含まれる「アーティスト」および「ジャンル」の双方と一致する発売前楽曲情報を最優先で再生する。ここでは、アーティスト「□□□」およびジャンル「洋楽」を含む発売前楽曲情報（曲名「■■■」）を最優先で再生する。つづいて、再生処理部２３ｃは、嗜好情報に含まれる「アーティスト」および「ジャンル」の一方と一致する発売前楽曲を次に再生する。ここでは、ジャンル「洋楽」を含む発売前楽曲情報（曲名「▲▲▲」）を曲名「■■■」の発売前楽曲情報の次に再生する。
【０１３８】
そして、再生処理部２３ｃは、嗜好情報に含まれる「アーティスト」および「ジャンル」の何れとも一致しない発売前楽曲を最後に再生する。ここでは、曲名「●●●」の発売前楽曲を最後に再生する。この結果、楽曲情報２４ｂに含まれる発売前楽曲情報は、嗜好情報との一致度が高い順、すなわち、曲名「■■■」の発売前楽曲情報→曲名「▲▲▲」の発売前楽曲情報→曲名「●●●」の発売前楽曲情報の順に再生されることとなる（同図の（Ｂ−２）参照）。
【０１３９】
このように、携帯端末装置２０の記憶部２４が、ユーザが好む楽曲のジャンルまたは演奏者の何れか一つを少なくとも含んだ嗜好情報を記憶し、携帯端末装置２０の再生処理部２３ｃが、記憶部２４に記憶された発売前楽曲情報のうち嗜好情報との一致度が高い発売前楽曲情報から優先的に再生処理を行うこととした。
【０１４０】
したがって、発売前楽曲が大量に記憶された場合に、ユーザの気に入らない曲が続けて再生されることによってユーザの試聴意欲がそがれることを防止でき、配信した発売前楽曲がユーザに試聴されることなく配信期間が過ぎてしまうといった事態を抑制することができる。
【０１４１】
次に、楽曲配信装置１０、携帯端末装置２０および車載装置３０の間で実行される処理手順について図１１を用いて説明する。図１１は、楽曲配信装置１０、携帯端末装置２０および車載装置３０の間で実行される処理手順を示すシーケンス図である。なお、同図には、携帯端末装置２０が発売前楽曲の配信要求を行ってから車載装置３０が発売前楽曲の再生を行うまでの処理手順について示している。
【０１４２】
同図に示したように、携帯端末装置２０では、楽曲要求部２３ａが、発売前楽曲の配信要求タイミングが到来したか否かを判定する（ステップＳ１０１）。具体的には、楽曲要求部２３ａは、携帯端末装置２０の電源が投入されたか否か、楽曲配信アプリケーションが起動したか否かあるいは前回の配信要求から所定期間が経過したか否かなどを判定する。
【０１４３】
かかる処理において、楽曲要求部２３ａは、発売前楽曲の配信要求タイミングが到来したと判定した場合には（ステップＳ１０１、Ｙｅｓ）、ユーザ情報１２ａから属性情報を取り出し、取り出した属性情報を含んだ配信要求を楽曲配信装置１０に対して送信する（ステップＳ１０２）。
【０１４４】
つづいて、楽曲配信装置１０では、楽曲選択部１３ａが、携帯端末装置２０から配信要求を受信すると、受信した配信要求から属性情報を取り出し、取り出した属性情報に対応する発売前楽曲情報を配信楽曲情報１２ｂの中から選択する（ステップＳ１０３）。
【０１４５】
つづいて、楽曲配信装置１０では、楽曲配信部１３ｂが、楽曲選択部１３ａによって選択された発売前楽曲情報を携帯端末装置２０へ配信する（ステップＳ１０４）。そして、携帯端末装置２０では、楽曲要求部１３ａが、受信した発売前楽曲情報を楽曲情報２４ｂとして記憶部２４へ追加する（ステップＳ１０５）。
【０１４６】
一方、携帯端末装置２０では、連携部２３ｂが、車載装置３０との間で通信リンクを確立させると（ステップＳ１０６）、再生処理部２３ｃが、楽曲情報２４ｂのうち音源データ以外の情報を楽曲リストとして記憶部２４から取り出して車載装置３０へ送信する（ステップＳ１０７）。
【０１４７】
つづいて、車載装置３０では、連携部３４ａが、携帯端末装置２０から受信した楽曲リストをタッチパネルディスプレイ３２の表示部３２ａに対して表示させる（ステップＳ１０８）。そして、車載装置３０では、発売前楽曲の再生操作がなされたか否かを判定し（ステップＳ１０９）、再生操作がなされたと判定すると（ステップＳ１０９、Ｙｅｓ）、連携部３４ａが、携帯端末装置２０に対して再生指示を送信する（ステップＳ１１０）。
【０１４８】
つづいて、携帯端末装置２０では、連携部２３ｂが、車載装置３０から再生指示を受け取ると、記憶部２４から音源データを取り出して車載装置３０へ送信する（ステップＳ１１１）。そして、車載装置３０では、再生処理部３４ｂが、携帯端末装置２０から受信した音源データの再生処理を行って（ステップＳ１１２）、処理を終える。
【０１４９】
上述してきたように、本実施例では、楽曲配信装置の記憶部が、発売前楽曲の音源データを含んだ発売前楽曲情報を当該発売前楽曲を試聴させたいユーザの属性情報と関連付けて記憶し、楽曲配信装置の楽曲選択部が、記憶部に記憶された発売前楽曲情報の中から携帯端末装置のユーザの属性情報と関連付けられた発売前楽曲情報を選択し、楽曲配信装置の楽曲配信部が、楽曲選択部によって選択された発売前楽曲情報を携帯端末装置へ配信する。また、本実施例では、携帯端末装置の記憶部が、楽曲配信部によって配信された発売前楽曲情報を記憶し、携帯端末装置の再生処理部が、記憶部に記憶された発売前楽曲情報に含まれる音源データの再生処理を実行することとした。したがって、レコード会社が薦める発売前の楽曲をユーザに対して適切に試聴させることができる。
【０１５０】
なお、上述してきた実施例では、各レコード会社がターゲットユーザを限定して発売前楽曲を配信する場合について説明してきたが、これに限ったものではなく、各レコード会社が薦める発売前楽曲を不特定多数のユーザに対して配信することとしてもよい。
【０１５１】
具体的には、楽曲配信装置１０の楽曲選択部１３ａが、記憶部１２の中から所定の発売前楽曲情報を取り出し、楽曲配信部１３ｂが、楽曲選択部１３ａによって取り出された発売前楽曲情報を携帯端末装置２０に対して配信する。ここで、楽曲選択部１３ａは、携帯端末装置２０によって指定された発売前楽曲情報を選択することとしてもよいし、最新の発売前楽曲情報から順次選択してもよい。また、楽曲選択部１３ａは、発売前楽曲情報をランダムに選択することとしてもよい。
【産業上の利用可能性】
【０１５２】
以上のように、本発明に係る楽曲配信システムおよび楽曲配信装置は、レコード会社が薦める発売前の楽曲をユーザに対して適切に試聴させたい場合に有用であり、特に、携帯端末装置に記憶した発売前楽曲情報を車載装置を用いて再生する場合に適している。
【符号の説明】
【０１５３】
１０    楽曲配信装置
１１    通信インタフェース
１２    記憶部
１２ａ  ユーザ情報
１２ｂ  配信楽曲情報
１３    制御部
１３ａ  楽曲選択部
１３ｂ  楽曲配信部
１３ｃ  実績情報蓄積部
１３ｄ  実績情報送信部
１００    配信楽曲ＤＢ
２０    携帯端末装置
２１    通信インタフェース
２２    近距離通信部
２３    制御部
２３ａ  楽曲要求部
２３ｂ  連携部
２３ｃ  再生処理部
２３ｄ  履歴情報送信部
２４    記憶部
２４ａ  ユーザ情報
２４ｂ  楽曲情報
２４ｃ  再生履歴情報
３０    車載装置
３１    近距離通信部
３２    タッチパネルディスプレイ
３２ａ  表示部
３２ｂ  操作部
３３    スピーカ
３４    制御部
３４ａ  連携部
３４ｂ  再生処理部
【図１】
2011209644.tif 000003
【図２】
2011209644.tif 000004
【図３】
2011209644.tif 000005
【図４】
2011209644.tif 000006
【図５】
2011209644.tif 000007
【図６】
2011209644.tif 000008
【図７】
2011209644.tif 000009
【図８】
2011209644.tif 000010
【図９】
2011209644.tif 000011
【図１０】
2011209644.tif 000012
【図１１】
2011209644.tif 000013